(57)【要約】【課題】キャビネット本体の上端部の前面中央部に施錠装置を設けることができるとともに、補助天板を支障なくかつ安定的に取付けうるようにする。【解決手段】上端部の前面中央部に施錠装置を有するキャビネット本体２と、該キャビネット本体２の上方に取付けられる補助天板３とからなり、キャビネット本体２の上面の前端部における施錠装置を挟む両側と左右の側端部、及びキャビネット本体２の上面の後端部における左右方向の中央部と左右の側端部に、それぞれ取付孔１８を設け、後端部中央の取付孔１８を含む左右の４個１組の取付孔１８に、補助天板３の下面の四隅部に下向き突設した支持ピン１５を着脱可能に嵌合することにより、補助天板３を、キャビネット本体２の左半部と右半部とのいずれかの上方に選択的に取付けうるようにする。【選択図】　　　　図１
2004105276.tif 000002
【特許請求の範囲】
【請求項１】
机等の天板の下方に一部を挿入して使用するキャビネットにおいて、全体の高さが前記天板の下面よりも低寸をなし、かつ上端部の前面中央部に施錠装置を有するキャビネット本体と、該キャビネット本体の上方に、前記天板とほぼ同一面に整合するように取付けられる補助天板とからなり、前記キャビネット本体の上面の前端部における前記施錠装置を挟む両側と左右の側端部、及びキャビネット本体の上面の後端部における左右方向の中央部と左右の側端部に、それぞれ取付孔を設け、前記後端部中央の取付孔を含む左右の４個１組の取付孔に、前記補助天板の下面の四隅部に下向き突設した支持ピンを着脱可能に嵌合することにより、補助天板を、前記キャビネット本体の左半部と右半部とのいずれかの上方に選択的に取付けうるようにしたことを特徴とするキャビネット。
【請求項２】
補助天板の前後寸法を、キャビネット本体の前後長よりも大とすることにより、補助天板を、その後端部がキャビネット本体の後端より後方に突出するように取付けてなる請求項１記載のキャビネット。
【請求項３】
支持ピンの上下いずれか一方の端部をおねじとするとともに、中間部に拡径した操作部を設け、前記おねじを、補助天板の下面又はキャビネット本体の上面に形成しためねじ孔に回動可能に螺合させ、前記操作部を回動させることにより、補助天板の高さを調節可能とした請求項１または２記載のキャビネット。
【請求項４】
キャビネット本体の下面の四隅部に、キャスタを設けた請求項１〜３のいずれかに記載のキャビネット。
【発明の詳細な説明】
【０００１】
【発明の属する技術分野】
本発明は、机等の周辺においてそれに付帯させて使用することにより、天板の下方のデッドスペースを有効に使用し、かつ天板と連続する大きな作業面が得られるようにしたキャビネットに関する。
【０００２】
【従来の技術】
本出願人は、前面と上面が開放された物品収納部を有する什器本体の全体の高さを、机等の天板の下面より低くするとともに、什器本体の左右長よりも短寸の補助天板（上板）を、その上面と机等の天板とが同一面に整合するように、什器本体の上部に設け、補助天板が設けられていない什器本体の一側部を天板の下方に挿入するとともに、補助天板の側端を天板の端面と当接させて使用することにより、天板の下方のデッドスペースを物品収納部として有効に使用し、かつ補助天板を机等の天板と連続させて、天板の作業面積を広げうるようにした物品収納什器を案出し、先に特許出願している（特願２００１−３３８３０５号参照）。
【０００３】
この従来の物品収納什器においては、上面における中央と両側部とに、前後１対ずつの合計６個の取付孔を設け、中央の２個の取付孔を共用して、それと左側の２個の取付孔、または中央の２個の取付孔と右側の２個の取付孔に、補助天板の下面４隅に突設した４個の支持ピンを嵌合することにより、補助天板を什器本体の上面左半部または右半部に、いわゆる勝手違いに支持させて、物品収納什器を机の左側部と右側部とのいずれにも配置できるようにしている。
【０００４】
【発明が解決しようとする課題】
上述のような、前面と上面が開放された物品収納什器では、収納した物品の防盗性に問題があるため、前面に開閉扉や引出し等を設け、これらを、施錠装置によりロックしうるようにしたキャビネット型の収納什器とし、これを上述のように、机等に付帯させて使用することにより、天板の下方のデッドスペースをなくしたり、天板の作業面積を広げたりしうるようにすることが考えられている。
【０００５】
しかし、このようなキャビネットにおいて、その筐体の上端部の中央部前面に、シリンダ錠等の施錠装置を設けると、上面中央前部の取付孔と干渉し、この取付孔に支持ピンを深く挿入できなくなる。
【０００６】
また、この施錠装置を避けるようにして、キャビネットの上面左側部と右側部とに、４個ずつの取付孔を長方形の配置で設けると、左右の支持ピン間の間隔が狭くなり、補助天板の支持が不安定となる。
【０００７】
本発明は、上記問題点に鑑みてなされたもので、筐体の上端部の中央部前面に施錠装置を設けることができるとともに、補助天板を支障なく、かつ安定的に支持しうるようにしたキャビネットを提供することを目的としている。
【０００８】
【課題を解決するための手段】
本発明によると、上記課題は、次のようにして解決される。
（１）机等の天板の下方に一部を挿入して使用するキャビネットにおいて、全体の高さが前記天板の下面よりも低寸をなし、かつ上端部の前面中央部に施錠装置を有するキャビネット本体と、該キャビネット本体の上方に、前記天板とほぼ同一面に整合するように取付けられる補助天板とからなり、前記キャビネット本体の上面の前端部における前記施錠装置を挟む両側と左右の側端部、及びキャビネット本体の上面の後端部における左右方向の中央部と左右の側端部に、それぞれ取付孔を設け、前記後端部中央の取付孔を含む左右の４個１組の取付孔に、前記補助天板の下面の四隅部に下向き突設した支持ピンを着脱可能に嵌合することにより、補助天板を、前記キャビネット本体の左半部と右半部とのいずれかの上方に選択的に取付けうるようにする。
【０００９】
（２）上記（１）項において、補助天板の前後寸法を、キャビネット本体の前後長よりも大とすることにより、補助天板を、その後端部がキャビネット本体の後端より後方に突出するように取付ける。
【００１０】
（３）上記（１）または（２）項において、支持ピンの上下いずれか一方の端部をおねじとするとともに、中間部に拡径した操作部を設け、前記おねじを、補助天板の下面又はキャビネット本体の上面に形成しためねじ孔に回動可能に螺合させ、前記操作部を回動させることにより、補助天板の高さを調節可能とする。
【００１１】
（４）上記（１）〜（３）項のいずれかにおいて、キャビネット本体の下面の四隅部に、キャスタを設ける。
【００１２】
【発明の実施の形態】
以下、本発明の実施形態を、図面に基づいて説明する。
図１は、本発明のキャビネットの分解斜視図を示すもので、下面の四隅部にキャスタ（１）を備えるキャビネット本体（２）と、その上方の左半部と右半部とに選択的に取付可能な補助天板（３）とからなっている。
【００１３】
キャビネット本体（２）における箱状の筐体（４）は、前面が開口され、その開口部には、左引戸（５）と中引戸（６）と右引戸（７）とからなるスライド式の開閉扉（８）が、筐体（４）の底板（９）と上面板（１０）とにおける前端部の対向面に形成された３本のガイドレール（１１）に案内されて、左右方向に開閉しうるように取付けられている。
【００１４】
上面板（１０）の前端部の中央には、開閉扉（８）を施解錠するためのシリンダ錠等よりなる施錠装置（図示略）が収容され、そのキー挿入部（１２）は、上面板（１０）の前端面の中央に突出している。
【００１５】
補助天板（３）は、上面板（１０）の前後の幅よりも若干大きい前後寸法を有するとともに、左右寸法が、上面板（１０）の左右寸法の半分の長さよりも僅かに大きい方形をなしている。
【００１６】
補助天板（３）の下面の前端部と後端部の左右両側部には、図２に示すように、４個の上向きの凹孔（１３）が形成され、各凹孔（１３）には、めねじ筒（１４）が下方より圧嵌されている。
【００１７】
前部側の凹孔（１３）を若干内方寄りに形成することにより、その左右の離間寸法を、後部側の凹孔（１３）の離間寸法よりも若干小さくしてある。
【００１８】
上記各めねじ筒（１４）には、支持ピン（１５）の上半部のおねじ（１６）が回動可能に螺合している。支持ピン（１５）の下向きの突出長は、その中間部に嵌着した操作つまみ（１７）を回動することにより、調節しうるようになっている。
【００１９】
上記上面板（３）における前端部上面と後端部上面とには、それぞれ、上記支持ピン（１５）の下端部が着脱可能に嵌合される前方のものが４個かつ後方のものが３個の有底をなす取付孔（１８）が穿設されている。
【００２０】
前部側の中央の２個の取付孔（１８）は、キー挿入部（１２）を挟む左右両側に、内部の施錠装置と干渉しないように、中心から外方にずらした位置に設けてある。
【００２１】
また、後部側の中央の取付孔（１８）は、上面板（１０）の左右方向のほぼ中央に穿設され、両側の取付孔（１８）は、上面板（１０）の側端部に穿設されている。
キー挿入部（１２）を挟む左右の４個１組の取付孔（１８）（後部の中央の取付孔を共通とする）は、前部が幅狭の平面視台形の左右対称形をなすとともに、上記補助天板（３）の４個の支持ピン（１５）と対向するようにそれと同一の配置とされている。なお、後部中央の取付孔（１８）は、補助天板（３）における後部側の左右の支持ピン（１５）が共に挿入される共用孔となっている。
【００２２】
補助天板（３）を、例えば図１に示すように、キャビネット本体（２）の左半部の上部に取付けるには、４個の支持ピン（１５）の突出長をほぼ等しく調節したのち、それらの下端部を上面板（１０）の左側の４個１組の取付孔（１８）に挿入すればよい。
【００２３】
これにより、補助天板（３）は、キャビネット本体（２）の上面より若干離間し、かつ後方に若干突出した状態で水平に支持される。
【００２４】
このように、補助天板（３）が左半部に取付けられたキャビネットは、例えば図３に示すように、机（１９）の左側部の前方に配置して使用される。
【００２５】
すなわち、補助天板（３）が取付けられていないキャビネット本体（２）の右半部を、その高さよりも高い机（１９）の天板（２０）の下方に挿入し、補助天板（３）の右側端を天板（２０）の前端に当接させる。
【００２６】
この際、補助天板（３）と天板（２０）との上面に段差が生じたときには、操作つまみ（１７）を回して、おねじ（１６）のめねじ筒（１４）への螺合深さを変え、補助天板（３）を相対的に上下動させて、その高さを天板（２０）の高さと整合するように調節することができる。
【００２７】
このような形態でキャビネットを配置すると、天板（２０）の下方に位置しているキャビネット内にも物品を収納しうるので、天板（２０）の下方のデッドスペースを有効に使用することができる。
【００２８】
また、キャビネット本体（２）の前後寸法より大とした補助天板（３）と天板（２０）との上面が整合し、連続した広い作業面が形成されるので、ＯＡ機器等の載置スペースが増大し、作業性が向上する。
【００２９】
さらに、上面板（１０）における前部側の左半部と右半部の２個の取付孔（１８）を、上面板（１０）の前端部中央に設けた施錠装置と干渉しないように若干内方に寄せて配置しても、上面板（１０）の後部側には、その中央と左右両側端部に３個の取付孔（１８）が設けられ、補助天板（３）の後端部の左右両側部より突出した支持ピン（１５）を、大きな間隔で支持しうるため、補助天板（３）は安定的に支持される。
【００３０】
しかも、後部側の中央の取付孔（１８）は、補助天板（３）を左半部と右半部とに選択的に取付ける際の共用孔として使用するため、通常４個の取付孔を穿設しなければならないところを、３個で済み、加工工数が削減される。
【００３１】
補助天板（３）を、上面板（１０）の右半部の４個１組の取付孔（１８）に取付ければ、図４に示すように、机（１９）の右端側に勝手違いに配置して使用することもできる。
【００３２】
本発明は、上記実施形態に限定されるものではない。
支持ピン（１５）を上下反対向きとし、そのおねじ（１６）を、上面板（１０）の取付孔（１８）に嵌着しためねじ筒（図示略）に螺合するとともに、支持ピン（１５）の上端部を、補助天板（３）の下面に形成した上向きの凹孔（図示略）に着脱可能に嵌合するようにしてもよい。
【００３３】
補助天板（３）の左右寸法は、キャビネット本体（２）の左右長のほぼ半分とは限らず、その長さに応じて適宜変更しうることは勿論である。
【００３４】
補助天板（３）の凹孔（１３）に嵌着しためねじ筒（１４）を省略して、凹孔（１３）自体をめねじ孔とすることもある。
【００３５】
本発明は、上記実施形態のような開閉扉（８）の代わりに、引出しを有するキャビネットにも適用しうる。
【００３６】
【発明の効果】
請求項１記載の発明によれば、キャビネット本体の上端部の前面中央部に施錠装置を設けることができるとともに、施錠装置の側方の左右２個ずつの取付孔と、後部側の３個の取付孔とを用い、その後部中央の取付孔を共用して、補助天板を、キャビネットの左半部と右半部との上方に選択的に、かつ支障なく安定して取付けることができる。
また、補助天板の後部側の左右の支持ピンは、前部の左右の支持ピン間の間隔より大きな間隔で支持されるため、補助天板は安定的に支持される。
さらに、後部側の取付孔を３個とし、その中央の取付孔を、補助天板を左右に選択的に取付ける際の共用孔として用いているため、取付孔が１個少なくて済み、その加工工数が削減される。
【００３７】
請求項２記載の発明によれば、机等の天板と連続した広い作業面が形成され、ＯＡ機器等の載置スペースが増大することにより、作業性が向上するとともに、キャビネット本体の半部を、机の側板または側脚の内側に収容させた状態で、補助天板の後縁を机の天板の側縁に整合させることができ、美感を高めることができる。
【００３８】
請求項３記載の発明によれば、支持ピンが、補助天板の高さ調節用のアジャスタを兼ねるので、別途特別なアジャスタを設ける必要がなく、部品点数やコストを削減しうる。
【００３９】
請求項４記載の発明によれば、キャビネットを、机等の両側部に勝手違いに配置する際などにおいて、その移動を容易に行うことができる。
【図面の簡単な説明】
【図１】本発明のキャビネットの分解斜視図である。
【図２】同じく、支持ピンの詳細と、その取付部における上面板と補助天板との要部の拡大断面図である。
【図３】同じく、補助天板を左半部に取付けた状態のキャビネットを、机の前部の左側部に配置した例を示す斜視図である。
【図４】同じく、補助天板を右半部に取付けたキャビネットを、机の前部の右側部に配置した例を示す斜視図である。
【符号の説明】
（１）キャスタ
（２）キャビネット本体
（３）補助天板
（４）筐体
（５）左引戸
（６）中引戸
（７）右引戸
（８）開閉扉
（９）底板
（１０）上面板
（１１）ガイドレール
（１２）キー挿入部
（１３）凹孔
（１４）めねじ筒
（１５）支持ピン
（１６）おねじ
（１７）操作つまみ（操作部）
（１８）取付孔
（１９）机
（２０）天板
【図１】
2004105276.tif 000003
【図２】
2004105276.tif 000004
【図３】
2004105276.tif 000005
【図４】
2004105276.tif 000006